【事件の表示】
　特願２０１１−　２６６２８「電磁スイッチ装置」拒絶査定不服審判事件〔平成２４年　９月　６日出願公開、特開２０１２−１６７５５１〕について、次のとおり審決する。
【結　論】
　本件審判の請求は、成り立たない。
【理　由】
第１　手続の経緯
　本件出願は、平成２３年２月１０日の出願であって、平成２６年７月４日付けで拒絶の理由が通知され、これに対して平成２６年８月２６日に意見書及び手続補正書が提出されたが、平成２６年１０月２７日付けで拒絶査定がされ、これに対して平成２７年１月２６日に拒絶査定不服審判が請求されると同時に明細書及び特許請求の範囲について補正する手続補正書が提出されたものである。
第２　平成２７年１月２６日付けの手続補正についての補正の却下の決定
［補正の却下の決定の結論］
　平成２７年１月２６日付けの手続補正を却下する。
［理由］
〔１〕本件補正の内容
　平成２７年１月２６日付けの手続補正（以下、「本件補正」という。）は、特許請求の範囲に関して、本件補正により補正される前の（すなわち、平成２６年８月２６日に提出された手続補正書により補正された）下記の（Ａ）に示す請求項１ないし５を、下記の（Ｂ）に示す請求項１ないし５と補正するものである。
（Ａ）本件補正前の特許請求の範囲の請求項１ないし５
「　【請求項１】
　軸方向の一端にスタータハウジングへの取付け面を有し、軸方向の他端が開口する金属製の円筒状フレームと、
　このフレームの内部に挿入されるソレノイドユニットと、
　前記フレームの他端に開口する開口部を閉塞して前記フレームに固定されるカバーとを備え、
　前記ソレノイドユニットは、
　通電によって電磁石を形成する第１のコイルを有し、前記電磁石の磁力を利用してスタータのピニオンをエンジンのリングギヤ側へ移動させる第１のソレノイドと、
　通電によって電磁石を形成する第２のコイルを有し、この第２のコイルの励磁／非励磁に応じてスタータモータに流れる電流を断続するためのメインスイッチを開閉する第２のソレノイドとを備え、
　前記フレーム内の前記取付け面側に前記第１のソレノイドを収容し、前記フレーム内の前記カバー側に前記第２のソレノイドを収容して、前記第１、第２のソレノイドを同一フレーム内に軸方向に直列に配置して一体的に構成されるスタータ用の電磁スイッチ装置であって、
　前記第２のソレノイドは、前記第２のコイルの巻枠である樹脂製ボビンの前記第１のソレノイドとは軸方向反対側に隣接して磁気回路の一部を形成する金属製の磁性プレートを有し、この磁性プレートは、前記第２のコイルの軸心方向と直交して配置され、その径方向の外周面が前記フレームの内周面に密着していることを特徴とする電磁スイッチ装置。
　　【請求項２】
　請求項１に記載した電磁スイッチ装置において、
　前記磁性プレートは、前記樹脂製ボビンと一体にインサート成型されていることを特徴とする電磁スイッチ装置。
　　【請求項３】
　請求項１または２に記載した電磁スイッチ装置において、
　前記樹脂製ボビンは、前記第２のコイルを巻回する巻胴部と、この巻胴部の軸方向両端に設けられる一組のフランジ部とを有し、
　前記第２のコイルは、前記巻胴部の外周面に接触する内径側の表面積より、前記フランジ部に接触する軸方向端の側面積の方が大きく構成されていることを特徴とする電磁スイッチ装置。
　　【請求項４】
　請求項１〜３に記載した何れか一つの電磁スイッチ装置において、
　前記ソレノイドユニットは、前記第１のソレノイドと前記第２のソレノイドとに共通して磁気回路の一部を形成する鉄心プレートを有し、この鉄心プレートは、前記第１のコイルと前記第２のコイルとの間に両コイルの軸心方向と直交して配置され、その径方向の外周面が前記フレームの内周面に密着して組み付けられ、
　前記第２のソレノイドは、前記樹脂製ボビンが前記鉄心プレートに隣接して配置されることを特徴とする電磁スイッチ装置。
　　【請求項５】
　軸方向の一端にスタータハウジングへの取付け面を有し、軸方向の他端が開口する金属製の円筒状フレームと、
　このフレームの内部に挿入されるソレノイドユニットと、
　前記フレームの他端に開口する開口部を閉塞して前記フレームに固定されるカバーとを備え、
　前記ソレノイドユニットは、
　通電によって電磁石を形成する第１のコイルを有し、前記電磁石の磁力を利用してスタータのピニオンをエンジンのリングギヤ側へ移動させる第１のソレノイドと、
　通電によって電磁石を形成する第２のコイルを有し、この第２のコイルの励磁／非励磁に応じてスタータモータに流れる電流を断続するためのメインスイッチを開閉する第２のソレノイドとを備え、
　前記フレーム内の前記取付け面側に前記第１のソレノイドを収容し、前記フレーム内の前記カバー側に前記第２のソレノイドを収容して、前記第１、第２のソレノイドを同一フレーム内に軸方向に直列に配置して一体的に構成されるスタータ用の電磁スイッチ装置であって、
　前記第２のソレノイドは、前記第２のコイルの前記第１のソレノイドとは軸方向反対側の位置に磁気回路の一部を形成する金属製の磁性プレートを有し、この磁性プレートは、前記第２のコイルの軸心方向と直交して配置され、その径方向の外周面が前記フレームの内周面に密着していることを特徴とする電磁スイッチ装置。」
（Ｂ）本件補正後の特許請求の範囲の請求項１ないし５
「　【請求項１】
　軸方向の一端にスタータハウジングへの取付け面を有し、軸方向の他端が開口する金属製の円筒状フレームと、
　このフレームの内部に挿入されるソレノイドユニットと、
　前記フレームの他端に開口する開口部を閉塞して前記フレームに固定されるカバーとを備え、
　前記ソレノイドユニットは、
　通電によって電磁石を形成する第１のコイルを有し、前記電磁石の磁力を利用してスタータのピニオンをエンジンのリングギヤ側へ移動させる第１のソレノイドと、
　通電によって電磁石を形成する第２のコイルを有し、この第２のコイルの励磁／非励磁に応じてスタータモータに流れる電流を断続するためのメインスイッチを開閉する第２のソレノイドとを備え、
　前記フレーム内の前記取付け面側に前記第１のソレノイドを収容し、前記フレーム内の前記カバー側に前記第２のソレノイドを収容して、前記第１、第２のソレノイドを同一フレーム内に軸方向に直列に配置して一体的に構成されるスタータ用の電磁スイッチ装置であって、
　前記第２のソレノイドは、
前記第２のコイルによって駆動され、前記メインスイッチを開閉させる可動鉄心、および、
円環状磁性
前記磁性プレートの内周面が前記可動鉄心の外周面に嵌合し、前記磁性プレート
　　【請求項２】
　請求項１に記載した電磁スイッチ装置において、
　前記磁性プレートは、前記樹脂製ボビンと一体にインサート成型されていることを特徴とする電磁スイッチ装置。
　　【請求項３】
　請求項１または２に記載した電磁スイッチ装置において、
　前記樹脂製ボビンは、前記第２のコイルを巻回する巻胴部と、この巻胴部の軸方向両端に設けられる一組のフランジ部とを有し、
　前記第２のコイルは、前記巻胴部の外周面に接触する内径側の表面積より、前記フランジ部に接触する軸方向端の側面積の方が大きく構成されていることを特徴とする電磁スイッチ装置。
　　【請求項４】
　請求項１〜３に記載した何れか一つの電磁スイッチ装置において、
　前記ソレノイドユニットは、前記第１のソレノイドと前記第２のソレノイドとに共通して磁気回路の一部を形成する鉄心プレートを有し、この鉄心プレートは、前記第１のコイルと前記第２のコイルとの間に両コイルの軸心方向と直交して配置され、その径方向の外周面が前記フレームの内周面に密着して組み付けられ、
　前記第２のソレノイドは、前記樹脂製ボビンが前記鉄心プレートに隣接して配置されることを特徴とする電磁スイッチ装置。
　　【請求項５】
　軸方向の一端にスタータハウジングへの取付け面を有し、軸方向の他端が開口する金属製の円筒状フレームと、
　このフレームの内部に挿入されるソレノイドユニットと、
　前記フレームの他端に開口する開口部を閉塞して前記フレームに固定されるカバーとを備え、
　前記ソレノイドユニットは、
　通電によって電磁石を形成する第１のコイルを有し、前記電磁石の磁力を利用してスタータのピニオンをエンジンのリングギヤ側へ移動させる第１のソレノイドと、
　通電によって電磁石を形成する第２のコイルを有し、この第２のコイルの励磁／非励磁に応じてスタータモータに流れる電流を断続するためのメインスイッチを開閉する第２のソレノイドとを備え、
　前記フレーム内の前記取付け面側に前記第１のソレノイドを収容し、前記フレーム内の前記カバー側に前記第２のソレノイドを収容して、前記第１、第２のソレノイドを同一フレーム内に軸方向に直列に配置して一体的に構成されるスタータ用の電磁スイッチ装置であって、
　前記第２のソレノイドは、
前記第２のコイルによって駆動され、前記メインスイッチを開閉させる可動鉄心、および、
円環状磁性
前記磁性プレートの内周面が前記可動鉄心の外周面に嵌合し、前記磁性プレート
（なお、下線は、請求人が補正箇所を明示するために付したものである。）
〔２〕本件補正の目的要件について
　本件補正は、本件補正前の請求項１に係る発明における発明特定事項である「第２のソレノイド」について、「
前記第２のコイルによって駆動され、前記メインスイッチを開閉させる可動鉄心
円環状磁性
前記磁性プレートの内周面が前記可動鉄心の外周面に嵌合し
　よって、特許請求の範囲の請求項１についての本件補正は、本件補正前の特許請求の範囲の請求項１に係る発明の発明特定事項を限定したものであって、本件補正前の請求項１に記載された発明と本件補正後の請求項１に記載される発明の産業上の利用分野及び解決しようとする課題が同一であるから、本件補正は、特許法第１７条の２第５項第２号に規定する特許請求の範囲の減縮を目的とするものに該当する。
　そこで、本件補正によって補正された特許請求の範囲の請求項１に係る発明（以下、「本願補正発明」という。）が特許出願の際に独立して特許を受けることができるものであるか（特許法第１７条の２第６項において準用する同法第１２６条第７項の規定に適合するか）について、以下に検討する。
〔３〕本願補正発明の独立特許要件について
１．本願補正発明
　本願補正発明は、平成２７年１月２６日に提出された手続補正書により補正された特許請求の範囲の請求項１に記載された事項により特定されるものであるところ、上記〔１〕（Ｂ）の【請求項１】に示したとおりのものである。
２．引用刊行物
（１）引用刊行物の記載事項
　原査定の拒絶の理由に引用された刊行物であって、本件出願前に頒布された刊行物である特開２０１０−２５５５９０号公報（以下、「引用刊行物」という。）には、図面とともに次の事項が記載されている。
ａ）「【００１５】
　本実施例のスタータ１は、図１に示す様に、回転力を発生するモータ２と、このモータ２の回転を減速する減速装置３と、この減速装置３を介してモータ２の回転が伝達される出力軸４と、モータ２の回転力をエンジンのリングギヤ５に伝達するためのピニオン６と一体に構成されて出力軸４の外周上に配置されるピニオン移動体（後述する）と、シフトレバー７を介してピニオン移動体を反モータ方向（図１の左方向）へ押し出す働きを有するピニオン押出用ソレノイド８と、バッテリ９（図４参照）からモータ２に電流を流すためのモータ回路に設けられるモータ接点（後述する）の開閉を行うモータ通電用スイッチ１０と、ピニオン６がリングギヤ５に噛合う過程で生じる衝撃を低減する衝撃吸収装置１１等より構成される。
【００１６】
　モータ２は、例えば、複数の永久磁石によって構成される界磁１２と、電機子軸１３の一方の端部に整流子１４を設けた電機子１５と、整流子１４の外周面（整流子面と呼ぶ）に当接して配置され、且つ、ブラシスプリング１６によって整流子面に押圧されるブラシ１７等を備える直流ブラシ付きモータである。なお、モータ２の界磁１２は、永久磁石の代わりに、界磁コイルによる電磁石界磁を用いることも出来る。
　減速装置３は、図２に示す様に、電機子軸１３の反整流子側端部に設けられる太陽歯車１８と、この太陽歯車１８と同心に配置され、且つ、衝撃吸収装置１１を介して回転規制される内歯歯車１９と、両歯車１８、１９に噛み合う複数の遊星歯車２０と、この遊星歯車２０の公転運動を拾う遊星キャリア２１とで構成される周知の遊星歯車減速装置であり、遊星キャリア２１が出力軸４と一体に設けられている。
【００１７】
　出力軸４は、減速装置３を介して電機子軸１３と同一軸線上に配置され、電機子１５の回転が減速装置３で減速されて伝達される。
　ピニオン移動体は、クラッチ２２とピニオン６とで構成される。
　クラッチ２２は、図１に示す様に、出力軸４の外周にヘリカルスプライン嵌合するアウタ２２ａと、このアウタ２２ａの内周に相対回転自在に配置されるインナ２２ｂと、アウタ２２ａとインナ２２ｂとの間で回転力の伝達を断続するローラ２２ｃと、このローラ２２ｃを付勢するローラスプリング（図示せず）等を有し、ローラ２２ｃを介してアウタ２２ａからインナ２２ｂへ一方向のみ回転力を伝達する一方向クラッチとして構成されている。
　ピニオン６は、クラッチ２２のインナ２２ｂと一体に設けられ、出力軸４の外周に軸受２３を介して相対回転自在に支持されている。」（段落【００１５】ないし【００１７】）
ｂ）「【００１８】
　ピニオン押出用ソレノイド８とモータ通電用スイッチ１０は、それぞれ通電によって電磁石を形成するソレノイドコイル２４とスイッチコイル２５を有し、このソレノイドコイル２４とスイッチコイル２５との間に、両者に共通して用いられる固定鉄心２６を配置すると共に、ピニオン押出用ソレノイド８の外周を覆うソレノイドヨーク２７と、モータ通電用スイッチ１０の外周を覆うスイッチヨーク２８とが軸方向に連続して形成され、一つの全体ヨークとして一体に設けられている。すなわち、ピニオン押出用ソレノイド８とモータ通電用スイッチ１０は、図１に示す様に、両者が軸方向に直列に配設されて一体に構成され、モータ２と並列に配置されてスタータハウジング２９に固定されている。
【００１９】
　全体ヨークは、図３に示す様に、軸方向一端側（図示左側）の端部に円環状の底面を有し、他端側の端部が開口する有底の筒形状であり、軸方向の一端から他端まで外径が同一寸法を有し、且つ、ソレノイドヨーク２７を形成する軸方向一端側より、スイッチヨーク２８を形成する軸方向他端側の方が内径が大きく、肉厚が薄く設けられている。つまり、全体ヨークの内周面には、ソレノイドヨーク２７を形成する軸方向一端側と、スイッチヨーク２８を形成する軸方向他端側との間に段差が設けられている。
　固定鉄心２６は、全体ヨークの他端側に開口する開口端（スイッチヨーク２８の開口端）からスイッチヨーク２８を形成する軸方向他端側の内部に挿入され、軸方向一端側の外周端面が、全体ヨークの内周面に設けられる段差に当接して軸方向に位置決めされる。
【００２０】
　以下、全体ヨーク（ソレノイドヨーク２７とスイッチヨーク２８）と固定鉄心２６以外のピニオン押出用ソレノイド８およびモータ通電用スイッチ１０の構成について、図３および図４を参照して説明する。
　ピニオン押出用ソレノイド８は、ソレノイドヨーク２７を形成する全体ヨークの軸方向一端側の内周に配置される前記ソレノイドコイル２４と、固定鉄心２６の内径側に設けられる一方の吸着面に対向してソレノイドコイル２４の内周を軸心方向に可動するプランジャ３０と、このプランジャ３０の動きをシフトレバー７に伝達するジョイント３１等より構成される。
【００２１】
　ソレノイドコイル２４は、一方の端部がコネクタ端子３２（図４参照）に接続され、他方の端部が、例えば、固定鉄心２６の表面に溶接等により固定されてアースされている。コネクタ端子３２には、スタータリレー３３に繋がる電気配線が接続される。
　スタータリレー３３は、スタータ１の作動を制御する電子制御装置であるＥＣＵ３４（図４参照）によってオン／オフ制御され、このスタータリレー３３がオン制御されると、バッテリ９からスタータリレー３３を通じてソレノイドコイル２４に通電される。
【００２２】
　プランジャ３０は、ソレノイドコイル２４への通電により固定鉄心２６が磁化されると、その固定鉄心２６との間に配設されるリターンスプリング３５の反力に抗して固定鉄心２６の一方の吸着面に吸着され、ソレノイドコイル２４への通電が停止すると、リターンスプリング３５の反力で反固定鉄心方向（図３の左方向）へ押し戻される。このプランジャ３０は、径方向の中央部に円筒孔を有する略円筒状に設けられ、その円筒孔は、プランジャ３０の軸方向一端側に開口して、他端側に底面を有している。
【００２３】
　ジョイント３１は、ドライブスプリング（図示せず）と共にプランジャ３０の円筒孔に挿入されている。このジョイント３１は、棒状に設けられ、プランジャ３０の円筒孔から突き出る一端側の端部にシフトレバー７の一方の端部が係合する係合溝３１ａが形成され、他端側の端部にフランジ部が設けられている。フランジ部は、円筒孔の内周に摺動可能な外径を有し、ドライブスプリングの荷重を受けて円筒孔の底面に押し付けられている。　ドライブスプリングは、プランジャ３０の移動により、シフトレバー７を介して反モータ方向に押し出されたピニオン６の端面がリングギヤ５の端面に当接した後、プランジャ３０が固定鉄心２６の一方の吸着面に吸着されるまで移動する間に圧縮されて、ピニオン６をリングギヤ５に噛み込ませるための反力を蓄える。
【００２４】
　モータ通電用スイッチ１０は、スイッチヨーク２８を形成する全体ヨークの軸方向他端側の内周に配置される前記スイッチコイル２５と、固定鉄心２６の内径側に設けられる他方の吸着面に対向してスイッチコイル２５の軸心方向に可動する可動鉄心３６と、全体ヨークの他端側に開口する開口部（スイッチヨーク２８の開口部）を塞いで組み付けられる樹脂製の接点カバー３７と、この接点カバー３７に固定される２本の端子ボルト３８、３９と、この２本の端子ボルト３８、３９に固定される一組の固定接点４０と、この一組の固定接点４０間を電気的に断続する可動接点４１等より構成される。
【００２５】
　スイッチコイル２５は、一方の端部が外部端子４２（図４参照）に接続され、他方の端部が、例えば、固定鉄心２６の表面に溶接等により固定されてアースされている。外部端子４２は、例えば、接点カバー３７の端面より外部に突き出て設けられ、ＥＣＵ３４に繋がる電気配線が接続される。
　スイッチコイル２５の径方向外周側と軸方向の反固定鉄心側には、それぞれ磁路の一部を形成する軸方向磁路部材４３と径方向磁路部材４４が配置されている。
　軸方向磁路部材４３は、円筒形状を有し、スイッチヨーク２８の内周に略隙間無く挿入されて、軸方向一端側の端面が固定鉄心２６の外周表面に当接して軸方向に位置決めされている。
【００２６】
　径方向磁路部材４４は、スイッチコイル２５の軸心方向に対し直交して配置され、軸方向一端側の外周端面が、軸方向磁路部材４３の軸方向端面に当接してコイル側の位置が規制されている。この径方向磁路部材４４は、可動鉄心３６が軸心方向へ移動できる様に、径方向の中央部に丸孔が開口している。
　可動鉄心３６は、スイッチコイル２５への通電により固定鉄心２６が磁化されると、その固定鉄心２６との間に配設されるリターンスプリング４５の反力に抗して固定鉄心２６の他方の吸着面に吸着され、スイッチコイル２５への通電が停止すると、リターンスプリング４５の反力で反固定鉄心方向（図３の右方向）へ押し戻される。
【００２７】
　接点カバー３７は、円筒状の脚部３７ａを有し、この脚部３７ａがスイッチヨーク２８を形成する全体ヨークの軸方向他端側の内周に挿入されて、脚部３７ａの端面が径方向磁路部材４４の表面に当接した状態で配置され、全体ヨークの開口端部にかしめ固定されている。
　２本の端子ボルト３８、３９は、モータ回路の高電位側（バッテリ９側）に接続されるＢ端子ボルト３８と、モータ回路の低電位側（モータ２側）に接続されるＭ端子ボルト３９である。一組の固定接点４０は、２本の端子ボルト３８、３９と別体（一体でも可能）に設けられ、接点カバー３７の内側で２本の端子ボルト３８、３９と電気的に接触して機械的に固定されている。
【００２８】
　可動接点４１は、一組の固定接点４０より反可動鉄心側（図３の右側）に配置され、可動鉄心３６に固定された樹脂製のロッド４６の端面に接点圧スプリング４７の荷重を受けて押し付けられている。但し、接点圧スプリング４７の初期荷重よりリターンスプリング４５の初期荷重の方が大きく設定されるので、可動接点４１は、スイッチコイル２５が非通電の時に、接点圧スプリング４７を押し縮めた状態で接点カバー３７の内部座面３７ｂに着座している。
　モータ接点は、一組の固定接点４０と可動接点４１とで形成され、可動接点４１が接点圧スプリング４７に付勢されて所定の押圧力で一組の固定接点４０に当接し、可動接点４１を介して両固定接点４０間が導通することによりモータ接点が閉成された状態となり、可動接点４１が一組の固定接点４０から離れて両固定接点４０間の導通が遮断されることによりモータ接点が開成された状態となる。」（段落【００１８】ないし【００２８】）
（２）上記（１）及び図面の記載から分かること
ア　上記（１）ａ）及びｂ）並びに図１、３及び４の記載（特に、段落【００１５】及び【００１８】並びに図１及び３の記載）によれば、引用刊行物には、スタータ１に用いられるピニオン押出用ソレノイド８及びモータ通電用スイッチ１０からなる装置が示されていることが分かる。
イ　上記（１）ａ）及びｂ）並びに図１及び３の記載（特に、段落【００１８】及び図１の記載）によれば、スタータ１に用いられるピニオン押出用ソレノイド８及びモータ通電用スイッチ１０からなる装置は、軸方向の一端にスタータハウジング２９と接する円環状の底面を有し、軸方向の他端が開口する有底の筒形状である全体ヨークを備えることが分かる。
ウ　上記（１）ｂ）並びに図１、３及び４の記載（特に、段落【００１８】ないし【００２０】及び【００２４】並びに図３及び４の記載）によれば、スタータ１に用いられるピニオン押出用ソレノイド８及びモータ通電用スイッチ１０からなる装置は、全体ヨークの内部に挿入されるソレノイドのユニットを備えることが分かる。
　ここで、段落【００２４】の「モータ通電用スイッチ１０は、スイッチヨーク２８を形成する全体ヨークの軸方向他端側の内周に配置される前記スイッチコイル２５と、固定鉄心２６の内径側に設けられる他方の吸着面に対向してスイッチコイル２５の軸心方向に可動する可動鉄心３６と、　・・・（中略）・・・　この一組の固定接点４０間を電気的に断続する可動接点４１等より構成される。」という記載並びに図３及び４の記載によれば、モータ通電用スイッチ１０において、通電によって電磁石を形成するスイッチコイル２５によって可動鉄心３６を駆動するようにしたソレノイドを有することが分かる。
　そして、段落【００１８】の「ピニオン押出用ソレノイド８とモータ通電用スイッチ１０は、それぞれ通電によって電磁石を形成するソレノイドコイル２４とスイッチコイル２５を有し、この
ソレノイドコイル２４とスイッチコイル２５との間に、両者に共通して用いられる固定鉄心２６を配置する
ピニオン押出用ソレノイド８とモータ通電用スイッチ１０は、図１に示す様に、両者が軸方向に直列に配設されて一体に構成
エ　上記（１）ｂ）並びに図１及び３の記載（特に、段落【００２４】並びに図３の記載）によれば、スタータ１に用いられるピニオン押出用ソレノイド８及びモータ通電用スイッチ１０からなる装置は、全体ヨークの他端に開口する開口部を塞いで全体ヨークに固定される接点カバー３７を備えることが分かる。
オ　上記（１）ｂ）並びに図１、３及び４の記載（特に、段落【００２０】ないし【００２３】並びに図１、３及び４の記載）によれば、ソレノイドのユニットは、通電によって電磁石を形成するソレノイドコイル２４を有し、電磁石の磁力を利用してスタータ１のピニオン６をエンジンのリングギヤ５側へ移動させるピニオン押出用ソレノイド８を備えることが分かる。
カ　上記（１）ｂ）並びに図１、３及び４の記載（特に、段落【００２４】ないし【００２８】並びに図１、３及び４の記載）によれば、ソレノイドのユニットは、通電によって電磁石を形成するスイッチコイル２５を有し、このスイッチコイル２５の励磁／非励磁に応じてモータ２に流れる電流を断続するためのモータ接点を開閉するモータ通電用スイッチ１０のソレノイドを備えることが分かる。
キ　上記（１）ａ）及びｂ）並びに図１、３及び４の記載（特に、段落【００１５】、【００１８】ないし【００２０】及び【００２４】並びに図１及び３の記載）によれば、スタータ１に用いられるピニオン押出用ソレノイド８及びモータ通電用スイッチ１０からなる装置は、全体ヨーク内の円環状の底面側にピニオン押出用ソレノイド８を収容し、全体ヨーク内の接点カバー３７側にモータ通電用スイッチ１０のソレノイドを収容して、ピニオン押出用ソレノイド８及びモータ通電用スイッチ１０のソレノイドを同一の全体ヨーク内に軸方向に直列に配置して一体的に構成されるようにしてあることが分かる。
ク　上記（１）ｂ）並びに図１、３及び４の記載（特に、段落【００２４】ないし【００２６】並びに図３及び４の記載）によれば、モータ通電用スイッチ１０のソレノイドは、スイッチコイル２５によって駆動され、モータ接点を開閉させる可動鉄心３６、および、スイッチコイル２５の巻枠であるボビンのピニオン押出用ソレノイド８とは軸方向反対側に隣接して磁気回路の一部を形成する円環状の径方向磁路部材４４を有していることが分かる。
　ここで、図３において、スイッチコイル２５の内周部及び両側部に沿って配置された断面コ字状の部材が、スイッチコイル２５の巻き枠であるボビンであることは明らかである。
ケ　上記（１）ｂ）並びに図１及び図３の記載（特に、段落【００２５】及び【００２６】並びに図３の記載）によれば、径方向磁路部材４４は、スイッチコイル２５の軸心方向と直交して配置され、径方向磁路部材４４の内周面が可動鉄心３６の外周面に嵌合し、径方向磁路部材４４の外周面が全体ヨークが形成するスイッチヨーク２８の内周面に対向していることが分かる。
（３）引用発明
　上記（１）及び（２）を総合して、本願補正発明の表現に倣って整理すると、刊行物１には、次の事項からなる発明（以下「引用発明」という。）が記載されていると認める。
「軸方向の一端にスタータハウジング２９と接する円環状の底面を有し、軸方向の他端が開口する有底の筒形状である全体ヨークと、
　この全体ヨークの内部に挿入されるソレノイドのユニットと、
　全体ヨークの他端に開口する開口部を塞いで全体ヨークに固定される接点カバー３７とを備え、
　ソレノイドのユニットは、
　通電によって電磁石を形成するソレノイドコイル２４を有し、電磁石の磁力を利用してスタータ１のピニオン６をエンジンのリングギヤ５側へ移動させるピニオン押出用ソレノイド８と、
　通電によって電磁石を形成するスイッチコイル２５を有し、このスイッチコイル２５の励磁／非励磁に応じてモータ２に流れる電流を断続するためのモータ接点を開閉するモータ通電用スイッチ１０のソレノイドとを備え、
　全体ヨーク内の円環状の底面側にピニオン押出用ソレノイド８を収容し、全体ヨーク内の接点カバー３７側にモータ通電用スイッチ１０のソレノイドを収容して、ピニオン押出用ソレノイド８及びモータ通電用スイッチ１０のソレノイドを同一の全体ヨーク内に軸方向に直列に配置して一体的に構成されるスタータ１に用いられるピニオン押出用ソレノイド８及びモータ通電用スイッチ１０からなる装置であって、
　モータ通電用スイッチ１０のソレノイドは、スイッチコイル２５によって駆動され、モータ接点を開閉させる可動鉄心３６、および、スイッチコイル２５の巻枠であるボビンのピニオン押出用ソレノイド８とは軸方向反対側に隣接して磁気回路の一部を形成する円環状の径方向磁路部材４４を有し、この径方向磁路部材４４は、スイッチコイル２５の軸心方向と直交して配置され、径方向磁路部材４４の内周面が可動鉄心３６の外周面に嵌合し、径方向磁路部材４４の外周面が全体ヨークが形成するスイッチヨーク２８の内周面に対向しているスタータ１に用いられるピニオン押出用ソレノイド８及びモータ通電用スイッチ１０からなる装置。」
３．対比
　本願補正発明（以下、「前者」ともいう。）と引用発明（以下、「後者」ともいう。）とを、その機能、構造又は技術的意義を考慮して対比する。
・後者における「スタータハウジング２９」は、前者における「スタータハウジング」に相当し、以下同様に、「有底の筒形状」は「円筒状」に、「全体ヨーク」は「フレーム」に、「ソレノイドのユニット」は「ソレノイドユニット」に、「接点カバー３７」は「カバー」に、「ソレノイドコイル２４」は「第１のコイル」に、「スタータ１」は「スタータ」に、「ピニオン６」は「ピニオン」に、「エンジン」は「エンジン」に、「リングギヤ５」は「リングギヤ」に、「ピニオン押出用ソレノイド８」は「第１のソレノイド」に、「スイッチコイル２５」は「第２のコイル」に、「モータ２」は「スタータモータ」に、「モータ接点」は「メインスイッチ」に、「モータ通電用スイッチ１０のソレノイド」は「第２のソレノイド」に、「ピニオン押出用ソレノイド８及びモータ通電用スイッチ１０のソレノイド」は「第１、第２のソレノイド」に、「スタータ１に用いられるピニオン押出用ソレノイド８及びモータ通電用スイッチ１０からなる装置」は「スタータ用の電磁スイッチ装置」に、「可動鉄心３６」は「可動鉄心」に、「径方向磁路部材４４」は「磁性プレート」に、「全体ヨークが形成するスイッチヨーク２８」は「フレーム」に、それぞれ相当する。
・後者における「スタータハウジング２９と接する円環状の底面」は前者における「スタータハウジングへの取付け面」に相当し、後者における「円環状の底面」は前者における「取付け面」に相当する。
・後者における「全体ヨーク」は、磁気回路を形成する継鉄であり、しかも、引用刊行物の段落【００２７】の「接点カバー３７は、　・・・中略・・・　全体ヨークの開口端部にかしめ固定されている。」という記載によれば、接点カバー３７をかしめ固定するものであるから、金属製であることは明らかである。
　そうすると、後者における「有底の筒形状である全体ヨーク」は、前者における「金属製の円筒状フレーム」に相当する。
・後者における「スイッチコイル２５の巻枠であるボビン」は、前者における「第２のコイルの巻枠である樹脂製ボビン」に、「第２のコイルの巻枠であるボビン」という限りにおいて、相当する。
・後者における「円環状の径方向磁路部材４４」は、前者における「金属製の円環状磁性プレート」に、「円環状磁性プレート」という限りにおいて、相当する。
・後者における「径方向磁路部材４４の外周面が全体ヨークが形成するスイッチヨーク２８の内周面に対向している」は、前者における「前記磁性プレートの外周面が前記フレームの内周面に密着している」に、「磁性プレートの外周面がフレームの内周面に対向している」という限りにおいて、相当する。
　
　したがって、両者は、
「軸方向の一端にスタータハウジングへの取付け面を有し、軸方向の他端が開口する金属製の円筒状フレームと、
　このフレームの内部に挿入されるソレノイドユニットと、
　フレームの他端に開口する開口部を閉塞してフレームに固定されるカバーとを備え、
　ソレノイドユニットは、
　通電によって電磁石を形成する第１のコイルを有し、電磁石の磁力を利用してスタータのピニオンをエンジンのリングギヤ側へ移動させる第１のソレノイドと、
　通電によって電磁石を形成する第２のコイルを有し、この第２のコイルの励磁／非励磁に応じてスタータモータに流れる電流を断続するためのメインスイッチを開閉する第２のソレノイドとを備え、
　フレーム内の取付け面側に第１のソレノイドを収容し、フレーム内のカバー側に第２のソレノイドを収容して、第１、第２のソレノイドを同一フレーム内に軸方向に直列に配置して一体的に構成されるスタータ用の電磁スイッチ装置であって、
　第２のソレノイドは、第２のコイルによって駆動され、メインスイッチを開閉させる可動鉄心、および、第２のコイルの巻枠であるボビンの第１のソレノイドとは軸方向反対側に隣接して磁気回路の一部を形成する円環状磁性プレートを有し、この磁性プレートは、第２のコイルの軸心方向と直交して配置され、磁性プレートの内周面が可動鉄心の外周面に嵌合し、磁性プレートの外周面がフレームの内周面に対向している電磁スイッチ装置。」の点で一致し、以下の点で相違している。
［相違点１］
　第２のコイルの巻枠であるボビンに関し、本願補正発明においては、「第２のコイルの巻枠である樹脂製ボビン」であるのに対して、引用発明においては、「スイッチコイル２５の巻枠であるボビン」であるところ、樹脂製であるか否か明らかでない点（以下、「相違点１」という。）。
［相違点２］
　円環状磁性プレートに関し、本願補正発明においては、「金属製の円環状磁性プレート」であるのに対して、引用発明においては、「円環状の径方向磁路部材４４」であり、金属製であるか否か明らかでない点（以下、「相違点２」という。）。
［相違点３］
　磁性プレートの外周面がフレームの内周面に対向していることに関し、本願補正発明においては、「前記磁性プレートの外周面が前記フレームの内周面に密着している」のに対して、引用発明においては、「径方向磁路部材４４の外周面が全体ヨークが形成するスイッチヨーク２８の内周面に対向している」点（以下、「相違点３」という。）。
４．判断
　上記相違点について検討する。
［相違点１について］
　コイルの巻枠であるボビンを樹脂製とすることは、本件出願前に普通に行われていること（以下、「慣用技術１」という。必要であれば、特開２０１０−２４２５５５号公報（特に、段落【００２３】及び図２）及び特開２００９−１９１８４３号公報（特に、段落【００２６】及び図２）を参照。）であるから、引用発明において、慣用技術１を適用して、スイッチコイル２５（第２のコイル）の巻枠であるボビンを樹脂製とし、上記相違点１に係る本願補正発明の発明特定事項とすることは、当業者が適宜なし得たことである。
［相違点２について］
　引用発明における円環状の径方向磁路部材４４は、全体ヨークが形成するスイッチヨーク２８と共に磁路を形成するところ、磁路を形成する部材を金属製とすることは、本件出願前に普通に行われていること（以下、「慣用技術２」という。必要であれば、特開２００３−１７２２５７号公報（特に、段落【００３４】及び図２ないし４）及び特開平９−２６６１１２号公報（特に、段落【００１５】ないし【００１７】及び図１）を参照。）であるから、引用発明において、慣用技術２に倣って、円環状の径方向磁路部材４４（円環状磁性プレート）を金属製とし、上記相違点２に係る本願補正発明の発明特定事項とすることは、当業者が適宜なし得たことである。
［相違点３について］
　ソレノイドやモータ等において、コイルから発生した熱を放熱するために、既存の或る部材の形状や大きさを設計変更して、既存の他の部材との間で新たな放熱経路を形成することは、本件出願前に周知の技術（以下、「周知技術」という。必要であれば、特開昭５３−６６５６４号公報（特に、２ページ１１ないし１９行並びに第１、２、８及び９図）、特開２０１０−２７２５８４号公報（特に、段落【００７０】ないし【００７３】並びに図４及び７）、特開２００３−１８７７５３号公報（特に、段落【００２７】及び【００６２】ないし【００６５】並びに図８）及び特開平４−１１６２７０号公報（特に、３ページ左上欄８ないし１０行及び第２図）を参照。）である。
　そして、ソレノイドやモータ等において、コイルへの通電により発生した熱を効率よく放熱させることは一般的な課題であるから、引用発明において、スイッチコイル２５（第２のコイル）が通電により発生した熱を効率よく放熱するために、上記周知技術を適用して、径方向磁路部材４４（磁性プレート）の外周面が全体ヨークが形成するスイッチヨーク２８（フレーム）の内周面に密着するようにし、上記相違点３に係る本願補正発明の発明特定事項とすることは、当業者が容易になし得たことである。
　ところで、引用発明において、径方向磁路部材４４は全体ヨークが形成するスイッチヨーク２８共に磁路を形成するところ、磁気回路において、漏洩磁束を減少させるため磁気抵抗を小さくすることは、本件出願前に技術常識である。
　そうすると、引用発明において、上記磁路の磁気抵抗が小さくなるように、径方向磁路部材４４（磁性プレート）の外周面が全体ヨークが形成するスイッチヨーク２８（フレーム）の内周面に密着するようにし、上記相違点３に係る本願補正発明の発明特定事項とすることは、当業者が容易になし得たことである。
　そして、本願補正発明は、全体としてみても、引用発明、慣用技術１、慣用技術２及び周知技術から、又は、引用発明、慣用技術１、慣用技術２及び技術常識から予測される以上の格別な効果を奏するものではない。
　したがって、本願補正発明は、引用発明、慣用技術１、慣用技術２及び周知技術に基づいて、又は、引用発明、慣用技術１、慣用技術２及び技術常識に基づいて当業者が容易に発明をすることができたものであるから、特許法第２９条第２項の規定により特許出願の際独立して特許を受けることができないものである。
〔４〕むすび
以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、［補正の却下の決定の結論］のとおり決定する。
第３　本願発明について
１．本願発明
　本件補正は上記のとおり却下されたので、本件出願の請求項１に係る発明（以下、「本願発明」という。）は、平成２６年８月２６日に提出された手続補正書により補正された特許請求の範囲の請求項１に記載された事項により特定されるものであるところ、前記第２［理由］〔１〕（Ａ）の【請求項１】に示したとおりのものである。
２．刊行物
　原査定の拒絶の理由に引用された刊行物１及びその記載事項、並びに、引用発明は、前記第２［理由］〔３〕２．に記載したとおりである。
３．対比・判断
　本願発明は、前記第２［理由］〔３〕で検討した本願補正発明において、発明特定事項である「第２のソレノイド」について、「前記第２のコイルによって駆動され、前記メインスイッチを開閉させる可動鉄心」を有していることを省き、また、発明特定事項である「円環状磁性プレート」について、「円環状」という形状を特定する事項を省くとともに、「前記磁性プレートの内周面が前記可動鉄心の外周面に嵌合し」という配置を特定する事項を省いたものに相当する。
　そうすると、本願発明の発明特定事項を全て含む本願補正発明が、前記第２［理由］〔３〕に記載したとおり、引用発明、慣用技術１、慣用技術２及び周知技術に基づいて、又は、引用発明、慣用技術１、慣用技術２及び技術常識に基づいて当業者が容易に発明をすることができたものであるから、本願発明も、同様の理由により、引用発明、慣用技術１、慣用技術２及び周知技術に基づいて、又は、引用発明、慣用技術１、慣用技術２及び技術常識に基づいて当業者が容易に発明をすることができたものであり、特許法第２９条第２項の規定により特許を受けることができない。
４．むすび
　以上のとおり、本願発明は、特許法第２９条第２項の規定により特許を受けることができないから、本件出願は拒絶すべきものである。
　よって、結論のとおり審決する。